(57)【要約】【課題】タッチパネルをタッチするためのペンを簡単に収納、あるいは取り出すことができ、しかも設置スペースを狭小化できる据置き型の電子機器を提供すること。【解決手段】据置き型の本体筐体１１と、前記本体筐体１１に設けられる液晶表示画面２２と、前記液晶表示画面２２に設けられるタッチパネル２３と、前記本体筐体１１の内面に対向配置され、前記本体筐体１１の内面との間に、前記タッチパネル２３をタッチするためのペン３０を収納する収納部２７を構成する支持板２６とを備え、前記支持板２６は、前記収納部２７に収納されるペン３０の両端部を支持しており、前記収納部２７に収納されるペン３０の中間部と前記支持板２６との間には、前記本体筐体１１の設置面側に、前記支持部材の両端部より広い隙間２８が形成されている。【選択図】図９
2007004592.tif 000002
【特許請求の範囲】
【請求項１】
据置き型の本体筐体と、
前記本体筐体に設けられる表示画面と、
前記表示画面に設けられるタッチパネルと、
前記本体筐体の内面に対向配置され、前記本体筐体の内面との間に、前記タッチパネルをタッチするためのペンを収納する収納部を構成する支持部材とを備え、
前記支持部材は、前記収納部に収納されるペンの両端部を支持しており、
前記収納部に収納されるペンの中間部と前記支持部材との間には、前記本体筐体の設置面側に、前記支持部材の両端部より広い隙間が形成されていることを特徴とする電子機器。
【請求項２】
前記収納部に収納されるペンを備え、前記ペンは、前記収納部に収納されるペン本体と、前記ペン本体の一端部に設けられ、前記ペン本体の外周面との間に、前記本体筐体の一部を挟持するための隙間を備えたフックとを具備することを特徴とする請求項１記載の電子機器。
【請求項３】
前記収納部は、前記本体筐体の幅方向の中央部に配置されることを特徴とする請求項１記載の電子機器。
【請求項４】
前記隙間は、当該隙間の中間部に進むにつれて前記本体筐体の設置面側に膨らむ弓型形状をしていることを特徴とする請求項１記載の電子機器。
【発明の詳細な説明】
【技術分野】
【０００１】
本発明は、タッチパネルをタッチするためのペンを備えた据置き型の電子機器に関する。
【背景技術】
【０００２】
液晶画面の表面にタッチパネルを備えた電話機や電子手帳などが知られている。このタッチパネルは、いわゆるタッチスクリーン機能を有するシート状スイッチであり、ペンの先端部でタッチすることで、情報を入力できるようになっている。
【０００３】
このような電子機器は、その機器本体に収納部を備えており、ペンを使用しないときには、この収納部にペンを収納できるようになっている。収納部の形態は、これまで様々な工夫がなされてきた。例えば、機器本体の側面に設けられた装着穴に対し、取付け部材（ペンに相当）に設けられた係合部を係合させて、ペンを取付けるタイプが開示されている（例えば、特許文献１参照。）。また、ペン形状に対応した細長い円柱状の収納部にペンを収納する携帯情報端末装置も開示されている（例えば、特許文献２参照。）。
【特許文献１】２００３−１３３７５２号公報
【特許文献２】２００１−１４２６２５号公報
【発明の開示】
【発明が解決しようとする課題】
【０００４】
しかしながら、特許文献１に記載された電子機器は、取付け部材の係合部が機器本体の装着穴に挿入される構造であるため、脱着を繰り返すことで係合部が損傷し、取付け部材の取付けができなくなる恐れがある。
【０００５】
また、特許文献２に記載された電子機器は、機器本体に設けられる収納部の内壁とペンとの隙間が略一定であるため、機器本体からペンを取り出すときに、ペンをその軸心線に沿ってまっすぐ引き出す必要があり、非常に取り出し難かった。しかも、電子機器が据置き型である場合、機器本体の周辺にペンを引き出すためのスペースが必要となり、電子機器の設置に大きなスペースを必要としていた。
【０００６】
また、従来の電子機器では、機器本体にペンを一時的に置く場所が無かった。そのため、ペンを一時的に置きたい場合には、一々ペンを収納部に収納し、または機器本体以外の場所、例えば机の上に置く必要があった。しかしながら、一々ペンを収納部に挿入するのは面倒であり、また机の上に置けばペンの紛失の恐れもある。
【０００７】
本発明は、前記事情を鑑みてなされたものであって、その目的とするところは、タッチパネルをタッチするためのペンを簡単に収納、あるいは取り出すことができ、しかも設置スペースを狭小化できる据置き型の電子機器を提供することにある。
【課題を解決するための手段】
【０００８】
前記課題を解決し目的を達成するために、本発明の電子機器は次のように構成されている。
【０００９】
（１）据置き型の本体筐体と、前記本体筐体に設けられる表示画面と、前記表示画面に設けられるタッチパネルと、前記本体筐体の内面に対向配置され、前記本体筐体の内面との間に、前記タッチパネルをタッチするためのペンを収納する収納部を構成する支持部材とを備え、前記支持部材は、前記収納部に収納されるペンの両端部を支持しており、前記収納部に収納されるペンの中間部と前記支持部材との間には、前記本体筐体の設置面側に、前記支持部材の両端部より広い隙間が形成されている。
【００１０】
（２）（１）に記載された電子機器において、前記収納部に収納されるペンを備え、前記ペンは、前記収納部に収納されるペン本体と、前記ペン本体の一端部に設けられ、前記ペン本体の外周面との間に、前記本体筐体の一部を挟持するための隙間を備えたフックとを具備する。
【００１１】
（３）（１）に記載された電子機器において、前記収納部は、前記本体筐体の幅方向の中央部に配置される。
【００１２】
（４）（１）に記載された電子機器において、前記隙間は、当該隙間の中間部に進むにつれて前記本体筐体の設置面側に膨らむ弓型形状をしている。
【発明の効果】
【００１３】
本発明によれば、タッチパネルをタッチするためのペンを簡単に収納、あるいは取り出すことができ、しかも設置スペースを狭小化することができる。
【発明を実施するための最良の形態】
【００１４】
以下、図面を参照しながら、本発明の第１実施形態と第２実施形態について詳細に説明する。なお、以下の説明において、手前側とは、電話機を使用するときの使用者側であり、奥側とは、電話機を挟んで、この使用者の反対側であり、左側および右側とは、この使用者から見たときの左側および右側である。
【００１５】
（第１実施形態）  
図１〜図１４を参照しながら、本発明の第１実施形態を説明する。
【００１６】
図１は本発明の第１実施形態に係る電話機を示す斜視図である。  
図１に示すように、この電話機は、いわゆる据置き型のものであり、電話機本体１０と、表示装置２０と、ペン３０とを具備している。
【００１７】
電話機本体１０は、矩形箱型の本体筐体１１と、本体筐体１１内に配置された本体基板部とから構成される。本体筐体１１は、その前面の左側に受話器が載置される受話器載置部１２を備え、前面の右側に表示装置２０が組込まれる矩形状の開口部１３を備えている。本体基板部は、電話機として機能を果たすための電子回路などを備えている。
【００１８】
図２は同実施形態に係る表示装置２０を分解して示す斜視図である。  
図２に示すように、この表示装置２０は、本体筐体１１の開口部１３に嵌め込まれる矩形枠状のパネル体２１と、パネル体２１内に嵌め込まれる液晶表示画面（表示画面）２２と、液晶表示画面２２の表面に設けられるシート状のタッチパネル２３と、液晶表示画面２２の裏面側に配設される支持体２４とを備えている。
【００１９】
パネル体２１は樹脂板などで形成されており、その左側の奥側、すなわち電話機本体１０の中央の奥側には、ペン３０を挿入するための開口部２１ａが形成されている。なお、開口部２１ａの形状は後で説明する。
【００２０】
支持体２４は、液晶表示画面２２を裏側から支持しており、電話機本体１０の横方向（幅方向）に対して前記開口部２１ａと対応する位置、すなわち電話機本体１０の中央部には、ペン３０を支持する細長い板状の支持板（支持部材）２６が配設されている。
【００２１】
図３は同実施形態に係る支持板２６を縦方向に沿って切断して示す断面図、図４は同実施形態に係る支持板２６を横方向に沿って切断して示す断面図である。  
図３と図４に示すように、この支持板２６は、パネル体２１の縦方向に沿って、且つパネル体２１の内面にと対向するように配置されており、パネル体２１の内面との間には、前記ペン３０を収納するための収納部２７が形成されている。
【００２２】
支持板２６の形状は、長手方向に対する中間部分がパネル体２１の反対側に向かって膨らむように湾曲し、長手方向に対する基端部分と先端部分がパネル体２１の内面に接近した弓型形状をしている。支持板２６の基端部分とパネル体２１の内面との間隔、及び支持板２６の先端部分とパネル体２１の内面との間隔は、ペン３０のペン本体３０ａ（後述する）直径と略一致している。
【００２３】
これにより、パネル体２１と支持板２６により形成される収納部２７にペン３０が収納された状態では、ペン本体３０ａの先端部分と基端部分のみが支持板２６に支持され、ペン本体３０ａの中間部分と支持板２６との間には大きな隙間２８が形成されるようになっている。
【００２４】
なお、後述するように、本実施形態におけるペン３０は、収納部２７に対して先端部から挿入されるため、ペン３０の基端部が開口部２１ａ側に位置し、ペン３０の先端部が開口部２１ａと反対側に位置する。
【００２５】
図５は同実施形態に係る開口部２１ａを示す平面図である。  
図５に示すように、前述の開口部２１ａは、パネル体２１前面に形成される凹部２１ｂと、凹部２１ｂの手前側の側壁に形成される円形の穴部２１ｃとから構成される。この穴部２１ｃは、ペン３０のペン本体３０ａの直径よりも僅かに大きく形成されており、ペン３０は、この穴部２１ｃからパネル体２１内に挿入されることになる。
【００２６】
図６は同実施形態に係るペン３０を示す正面図、図７は同実施形態に係るペン３０を示す側面図である。  
図６と図７に示すように、ペン３０は、タッチパネル２３にタッチするためのものであり、細長い円柱状のペン本体３０ａと、ペン本体３０ａの基端部に設けられた細長い板状のフック部材３０ｂと、ペン本体３０ａの先端部に設けられたタッチポイント３０ｃと、ペン本体３０ａの基端部に設けられた係合面３０ｄとから構成される。
【００２７】
フック部材３０ｂは、ペン本体３０ａの長手方向に延設されており、ペン本体３０ａの外周面との間にはパネル体２１の板厚より僅かに小さな隙間が形成されている。フック部材３０ｂの素材としては、ある程度の弾性を備えた樹脂材料などが使用される。
【００２８】
図８は同実施形態に係る収納部２７に収納されたペン３０を示す平面図、図９は同実施形態に係る収納部２７に収納されたペン３０を示す断面図、図１０は同実施形態に係る収納部２７に収納されているペン３０の基端部を示す拡大図である。
【００２９】
図８〜図１０に示すように、ペン３０が収納部２７に挿入されると、パネル体２１の開口部２１ａの縁部とペン３０の係合面３０ｄとが係合し、ペン３０が収納部２７内に深く入り過ぎないようになっている。
【００３０】
図１１は同実施形態に係るパネル体２１上に載せられたペン３０を示す斜視図、図１２は同実施形態に係るパネル体２１上に載せられたペン３０を示す断面図、図１３は同実施形態に係るパネル体２１上に載せられたペン３０の基端部を示す拡大図である。
【００３１】
図１１〜図１３に示すように、ペン３０がパネル体２１上に載せられるときは、パネル体２１の開口部２１ａの縁部がフック部材３０ｂとペン本体３０ａの間に挟持される。これにより、パネル体２１上に載せられたペン３０がパネル体２１から外れ難くなっている。
【００３２】
次に、ペン３０の収納方法、および取り出し方法を説明する。  
図１４は同実施形態に係る収納部２７に収納される、あるいは収納部２７から取り出すペン３０の軌跡を示す概略図である。
【００３３】
収納部２７にペン３０を収納する場合、ペン３０の先端部を開口部２１ａに挿入し、ペン３０をその軸心線に押し込む。すると、ペン３０の先端部は、支持板２６に案内されて、収納部２７の奥側に導かれる。これにより、ペン３０は、開口部２１ａを中心に回転しながら収納部２７に進入し、最終的に収納部２７に完全に収納される。図１４の矢印Ａは、収納部２７に収納されるペン３０の基端部の軌跡である。
【００３４】
一方、収納部２７に収納されたペン３０を取り出す場合、ペン３０の基端部を掴んで電話機本体１０の奥側に引っ張る。すると、ペン本体３０ａとフック部材３０ｂとの間からパネル体２１が外れ、ペン３０の基端部が電話機本体１０の奥側に突出する。そして、ペン３０の長さの１／３分程度が収納部２７から引き出されたら、ペン３０の基端部を徐々に引き上げる。するとペン３０は、開口部２１ａを中心に回転しながら収納部２７から引き出され、最終的に収納部２７から完全に取り出される。図１４の矢印Ｂは、収納部２７から取り出されるペン３０の基端部の軌跡である。
【００３５】
このように、ペン３０を収納するとき、あるいは取り出すときに、ペン３０が開口部２１ａを中心に回転できるのは、収納部２７に収納されたペン３０の中間部分と支持板２６との間に、ペン３０の先端部が移動可能な隙間２８が形成されているからである。
【００３６】
次に、本実施形態に係る電話機により得られる作用について説明する。  
本実施形態における支持板２６は、その長手方向に対する中間部分がパネル体２１の反対側に向かって膨らむように湾曲しており、長手方向に対する基端部分と先端部分がパネル体２１の内面に接近した弓型形状をしている。これにより、収納部２７に収納されるペン３０と支持板２６との間には、ペン３０の先端部が移動可能な大きな隙間２８が形成される。その結果、ペン３０の収納、および取り出しを行うときにおける、ペン３０の先端部の自由度が増すから、すなわちペン３０の先端部がパネル体２１から離れる方向に移動できるから、従来の電話機よりも容易にペン３０の収納、および取り出しを行うことができる。
【００３７】
また、ペン３０を収納するとき、あるいは取り出すときに、ペン３０をその長さ分だけ電話機本体１０の奥側に突出させる必要がない。その結果、本実施形態のような据置き型の電話機であっても、電話機の奥側にペン３０を引き出すためのスペースが不要となるから、電話機の設置に必要なスペースを従来よりも小さくすることができる。
【００３８】
さらに、本実施形態における収納部２７は、電話機本体１０の横方向に対する中央部に配設されている。そのため、右利きの人であっても、左利きの人であっても、無理なくペン３０の収納、および取り出しを行うことができる。
【００３９】
なお、本実施形態における収納部２７は、パネル体２１に設けられているが、これに限定されるものではなく、例えば本体筐体１１に設けられていても良い。
【００４０】
また、本実施形態におけるペン３０は、パネル体２１の開口部２１ａの縁部に引っ掛けられているが、これに限定されるものではなく、例えば本体筐体１１やパネル体２１に設けられた被挟持部に引っ掛けられるようにしても良い。
【００４１】
さらに、本実施形態では、本発明を電話機に適用した例を説明しているが、これに限定されるものではなく、据置き型の電子機器であれば、どんなものに適用しても、それ相応の効果が期待できる。
【００４２】
（第２実施形態）  
次に、図１５と図１６を参照しながら、本発明の第２実施形態について詳細に説明する。なお、ここでは第１実施形態と同様の構成および作用については、その説明を省略することとする。
【００４３】
図１５は本発明の第２実施形態に係る収納部２７に収納されたペン３０を示す断面図、図１６は同実施形態に係るパネル体２１上に載せられたペン３０を示す断面図である。
【００４４】
図１５と図１６に示すように、本実施形態におけるフック部材３０ｂは、第１実施形態よりも長く、ペン本体３０ａ側の面には凸部３０ｅが形成されている。この凸部３０ｅは半球形状をしており、ペン本体３０ａの係合面３０ｄから所定間隔だけ離れた位置に配置されている。
【００４５】
また、本実施形態におけるパネル体２１は、その開口部２１ａの縁部から電話機本体１０の手前側に向かって前記所定間隔だけ離れた位置に２つの凹部２１ｂを備えている。これら凹部２１ｂは、パネル体２１の表面と裏面とに対応位置して設けられており、フック部材３０ｂに設けられた凸部３０ｅと略同じ大きさに形成されている。
【００４６】
これにより、ペン３０が収納部２７に収納され、あるいはペン３０がパネル体２１上に載置されると、ペン３０の凸部３０ｅとパネル体２１の凹部２１ｂとが係合して、ペン３０がパネル体２１から外れ難くなっている。特に、ペン３０がパネル体２１上に置かれるときは、手や指がペン３０に触れることなどが多く、ペン３０がパネル体２１から外れ易い環境であるが、このように凸部３０ｅと凹部２１ｂとが係合してしれば、ペン３０が外れて落下し難くなるから、結果としてペン３０の紛失が防止される。
【００４７】
本発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４８】
【図１】本発明の第１実施形態に係る電話機の斜視図。
【図２】同実施形態に係る表示装置を分解して示す斜視図。
【図３】同実施形態に係る支持板を縦方向に沿って切断して示す断面図。
【図４】同実施形態に係る支持板を横方向に沿って切断して示す断面図。
【図５】同実施形態に係る開口部を示す平面図。
【図６】同実施形態に係るペンを示す正面図。
【図７】同実施形態に係るペンを示す側面図。
【図８】同実施形態に係る収納部に収納されたペンを示す平面図。
【図９】同実施形態に係る収納部に収納されたペンを示す断面図。
【図１０】同実施形態に係る収納部に収納されているペンの基端部を示す拡大図。
【図１１】同実施形態に係るパネル体上に載せられたペンを示す斜視図。
【図１２】同実施形態に係るパネル体上に載せられたペンを示す断面図。
【図１３】同実施形態に係るパネル体上に載せられたペンの基端部を示す拡大図。
【図１４】同実施形態に係る収納部に収納される、あるいは収納部から取り出すペンの軌跡を示す概略図。
【図１５】本発明の第２実施形態に係る収納部に収納されたペンを示す断面図。
【図１６】同実施形態に係るパネル体上に載せられたペンを示す断面図。
【符号の説明】
【００４９】
１１…本体筐体、２２…液晶表示画面（表示画面）、２３…タッチパネル、２６…支持板（支持部材）、２７…収納部、２８…隙間、３０…ペン、３０ａ…ペン本体、３０ｂ…フック。
【図１】
2007004592.tif 000003
【図２】
2007004592.tif 000004
【図３】
2007004592.tif 000005
【図４】
2007004592.tif 000006
【図５】
2007004592.tif 000007
【図６】
2007004592.tif 000008
【図７】
2007004592.tif 000009
【図８】
2007004592.tif 000010
【図９】
2007004592.tif 000011
【図１０】
2007004592.tif 000012
【図１１】
2007004592.tif 000013
【図１２】
2007004592.tif 000014
【図１３】
2007004592.tif 000015
【図１４】
2007004592.tif 000016
【図１５】
2007004592.tif 000017
【図１６】
2007004592.tif 000018